(57)【要約】本発明は、動く歩道、エスカレータまたはそれに類する物のための手すり（１０）に関し、当該手すり（１０）は、フレキシブルな高分子材料からなるエンドレスな帯板（１２）を含んでおり、該帯板（１２）は手すり支持と係合するための形状とされた内側部（１４）を有し、かつ該帯板（１２）は内側部（１４）とは反対の側に外側表面（１８）を有し、該帯板（１２）の外側表面（１８）に、取替え可能に担持された広告物（２４）を含んでおり、該帯板（１２）の外側表面（１８）に、取替え可能に接着性をもって固定されたフレキシブルなシート（１６）を含んでおり、該シート（１６）は大気に露出している。該シート（１６）は、動く歩道、エスカレータ、またはそれに類する物の上に支えられた人が該広告物（２４）を見ることを可能にしており、かつ該シート（１６）は該広告物（２４）の取替えを可能にしている。【選択図】図２
2004529047.tif 000002
【特許請求の範囲】
【請求項１】
動く歩道、エスカレータまたはそれに類する物のための手すりであって、当該手すりは、
フレキシブルな高分子材料からなるエンドレスな帯板を含んでおり、該帯板は手すり支持と係合するための形状とされた内側部を有し、かつ該帯板は内側部とは反対の側に外側表面を有し、
該帯板の外側表面に取替え可能に保持された広告物を含んでおり、
該帯板の外側表面に取替え可能に接着性をもって固定されたフレキシブルなシートを含んでおり、該シートは大気に露出しており、該シートは、動く歩道、エスカレータ、またはそれに類する物の上に支えられた人が該広告物を見ることを可能にしており、かつ該シートは該広告物の取替えを可能にしている、前記手すり。
【請求項２】
シートが、広告物を保持する単一のフィルムを含んでおり、該フィルムは帯板と接触しており、該帯板に対して接着性をもって固定され、かつ該フィルムは大気に露出している、請求項１記載の手すり。
【請求項３】
フィルムが接着剤付きである、請求項２記載の手すり。
【請求項４】
シートが、広告物を保持する内側フィルムと、該内側フィルムをカバーする透明カバーフィルムとを含んでおり、これらフィルムは面を向い合わせて配置されており、それによって、内側フィルムはカバーフィルムとエンドレスな帯板の外側表面との間に挟まれており、少なくともカバーフィルムは、内側フィルムの外周縁に沿って、エンドレスな帯板に接着性をもって固定されている、請求項１記載の手すり。
【請求項５】
カバーフィルムが接着剤付きである、請求項４記載の手すり。
【請求項６】
接着剤付きフィルムが感圧性のものである、請求項３または５記載の手すり。
【請求項７】
接着剤付きフィルムが、溶剤性の接着剤を含んでいる、請求項３、５、または６記載の手すり。
【請求項８】
シートが、エンドレスな帯板の全長の一部に沿って延びている、上記請求項のいずれかに記載の手すり。
【請求項９】
広告の方法であって、
動く歩道、エスカレータまたはそれに類する物のエンドレスな手すりを形成するための、フレキシブルな高分子材料からなる帯板の外側表面に、フレキシブルなシートを接着性をもって固定する工程を有し、
該シートは、該帯板に取替え可能に接着性をもって固定され、それによって該シートは大気に露出しており、該シートは広告物を帯板に固定しており、それによって広告物は、取替え可能であり、かつ、動く歩道、エスカレータ、またはそれに類する物の上に支えられた人に見えるようになっている、
前記広告の方法。
【発明の詳細な説明】
【０００１】
本発明は広告に関する。特に、本発明は、動く歩道、エスカレータ、またはそれに類する物のための手すりに関する。
【０００２】
本発明の一態様によれば、動く歩道、エスカレータまたはそれに類する物のための手すりが提供され、当該手すりは、
フレキシブルな高分子材料からなるエンドレスな帯板（ｓｔｒｉｐ）を含んでおり、該帯板は手すり支持と係合するための形状とされた内側部を有し、かつ該帯板は内側部とは反対の側に外側表面を有し、
該帯板の外側表面に取替え可能に担持された広告物を含んでおり、
該帯板の外側表面に取替え可能に接着性をもって固定されたフレキシブルなシート（ｓｈｅｅｔ）を含んでおり、該シートは大気に露出しており、該シートは、動く歩道、エスカレータ、またはそれに類する物の上に支えられた人が該広告物を見ることを可能にしており、かつ該シートは該広告物の取替えを可能にしている。
【０００３】
本明細書中で使用する用語「広告物」は、広告用の、指示用の、あるいは同様の種類の、あらゆる標識を含み、広告、ロゴ、ブランド名、商標、商標の図案、指示、またはこれらに類するもののような、印刷された画像を含む。
【０００４】
本発明のより格別なる態様では、シートは、広告物を保持する単一のフィルムを含んでおり、該フィルムは帯板と接触しており、該帯板に対して接着性をもって固定され、かつ該フィルムは大気に露出している。
【０００５】
フィルムは接着剤付きであってもよい。本明細書中で使用する用語「接着剤付き」は、シートを帯板に貼る際にではなく、フィルムの製造の間に、該フィルムに接着剤が付与されていることを意味する。
【０００６】
あるいは、該シートは、広告物を保持する内側フィルムと、該内側フィルムをカバーする透明カバーフィルムとを含んでいてもよく、これらフィルムは面を向い合わせて配置されており、それによって、内側フィルムはカバーフィルムとエンドレスな帯板の外側表面との間に挟まれており、少なくともカバーフィルムは、内側フィルムの外周縁に沿って、エンドレスな帯板に接着性をもって固定されている。
【０００７】
カバーフィルムは接着剤付きであってもよい。接着剤付きフィルムが感圧性のものであれば好都合である。本明細書中で使用する用語「感圧性」は、比較的軽い圧力が加えられた際には接着剤として作用せず、しきい値の圧力よりも大きい圧力の付与に応答して接着剤として活性になる該接着剤がフィルムに与えられていることを意味する。
【０００８】
接着剤付きフィルムは、溶剤性の接着剤を有していてもよい。本明細書中で使用する用語「溶剤性」は、シートが帯板の外側表面に接着性をもって固定される場合に、接着剤が溶剤を含有し、この溶剤はその後蒸発し、それゆえ溶剤によって帯板からの接着剤およびフィルムの後での除去が可能となることを意味する。
【０００９】
シートは、エンドレスな帯板の実質的に全長に沿って長手方向に延びてもよいが、好ましくは、シートはエンドレスな帯板の長さの一部のみに沿って延びる。
【００１０】
シートは、エンドレスな帯板の外側表面の幅の一部、あるいはその全幅を覆っていてもよい。
【００１１】
本発明の他の態様によれば、広告の方法が提供され、該方法は、動く歩道、エスカレータまたはそれに類する物のエンドレスな手すりを形成するための、フレキシブルな高分子材料からなる帯板の外側表面に、フレキシブルなシートを接着性をもって固定する工程を有し、該シートは、該帯板に取替え可能に接着性をもって固定され、それによって該シートは大気に露出しており、該シートは広告物を帯板に固定しており、それによって広告物は、取替え可能であり、かつ、動く歩道、エスカレータ、またはそれに類する物の上に支えられた人に見えるようになっている。
【００１２】
本発明を、添付の図面を参照して、例として、さらに記載し説明する。
【００１３】
図１および２では、参照番号１０は、本発明によるエスカレータ（図示せず）用の手すりを全体的に示している。手すり１０は、フレキシブルな高分子材料のエンドレスな帯板１２を含んでいる。従来の様式では、帯板１２は、使用時において、手すり支持（図示せず）に沿って延び、該支持は、エスカレータによって提供される長く延びたエンドレスな動く支持面（図示せず）の前進移動区間（ｆｏｒｗａｒｄｌｙ ｍｏｖｉｎｇ ｌｅｇ）に沿って延びており、該手すり支持は、上部区間を有するエンドレスなコース内にエンドレスな帯板１２を案内しており、上部区間では、帯板１２が、支持面の前進移動区間と同じ方向に動き、帯板１２は支持面から垂直に間隔を置いて配置されており、それによって帯板１２は支持面上に立つ人（図示せず）のための手すりを形成している。
【００１４】
断面（図１）を見ると、帯板１２は、内側に面する内側部１４を有しており、この内側部は、手すり支持と係合するような形状となっている。フレキシブルなシート１６は、帯板１２の外側に面する外側表面１８に接着性をもって固定されており、シート１６は、大気に露出しており、矩形の内側フィルム２０（図２に破線で示す）と同様の形状の透明カバーフィルム２２とを有する。フィルム２０、２２は、対面して配置されており、それによって、内側フィルム２０はカバーフィルム２２と帯板１２との間に挟まれており、カバーフィルム２２は内側フィルム２２よりも僅かに大きく、それによって、カバーフィルム２２の端部２３は、内側フィルム２０の外周縁に沿って延びており、帯板１２と接触している（図２）。
【００１５】
図２に見られ得るように、シート１６は、帯板１２の全長の一部に沿って延びており、かつ帯板１２の表面１８の平坦な中央部分の全幅を覆っている。内側フィルム２０およびカバーフィルム２２の両方に、溶剤性の接着剤が具備されており、それによって、フィルム２２は接着剤付きであり、かつ感圧性である。
【００１６】
内側フィルム２０は、広告２４の形態で広告物を表示し、この広告は内側フィルム２０の外側表面に印刷されており、帯板１２から離れる方に向いている。従って、広告２４は、エスカレータ上の人に見えるように表示される。
【００１７】
使用時、シート１６は、記載したようにフィルム２０、２２をそれぞれ帯板１２上に配置し、フィルム２０、２２に圧力を加えることによって、帯板１２に固定され、それによって、内側フィルム２０およびカバーフィルム２２の端部２３が剥離可能にかつ取替え可能に接着性をもって帯板１２に固定され、カバーフィルム２２もまた内側フィルム２０に接着性をもって固定される。それゆえ一旦固定されると、広告２４は、使用時にはエスカレータ上の人に対して表示される。
【００１８】
シート１６は、帯板１２からそれぞれのフィルム２０、２２を剥離し、帯板１２の表面１８上に残存するいかなる残存接着剤も取り除く（例えば、適切な溶剤によって）ことによって、取り外し、取り替えることができ、このような残留接着剤の除去は、溶剤性の接着剤によって容易となる。
【００１９】
図３は、本発明による手すり３０のさらなる実施態様を示し、手すり３０は、図１および２に示す手すり１０と類似のものであるが、複合シート１６の代わりに、広告物を保持する単一のシート３２が剥離可能にかつ取替え可能に接着性をもって帯板１２に固定されることが異なる。前述のように、シート３２は接着剤付きであり、溶剤性の接着剤が提供される。
【００２０】
図面を参照して記載したように、シート１６、３２を帯板１２に固定して、帯板１２を何ら変更する必要なく、エスカレータの使用者に広告物を表示することができることが、手すり１０の利点である。従って、本発明によれば、帯板１２の通常の操作に不利益を与えることなく、シート１６を任意の現存する帯板１２に固定して手すり１０を形成することができる。さらに、所望であれば、シート１６、３２を容易に取り替えて、広告物を折々変更または取り替えることができる。
【図面の簡単な説明】
【図１】
図１は、本発明による手すりの、図２の線Ｉ−Ｉに沿った概略断面図である。
【図２】
図２は、図１の手すりの一部の概略３次元図である。
【図３】
図３は、本発明による手すりのさらなる実施態様の、図１に対応する図である。
【図１】
2004529047.tif 000003
【図２】
2004529047.tif 000004
【図３】
2004529047.tif 000005
【国際公開パンフレット】
2004529047.tif 000006
2004529047.tif 000007
2004529047.tif 000008
2004529047.tif 000009
2004529047.tif 000010
2004529047.tif 000011
2004529047.tif 000012
2004529047.tif 000013
2004529047.tif 000014
2004529047.tif 000015
2004529047.tif 000016
2004529047.tif 000017
【国際公開パンフレット（コレクトバージョン）】
2004529047.tif 000018
2004529047.tif 000019
【国際調査報告】
2004529047.tif 000020
2004529047.tif 000021